(57)【要約】【課題】  ケーブル導入部のみ設けてブロック状に形成した基台であっても、地面から立ち上げたケーブルの立ち上げ位置に自由度を持たせ、設置作業を簡易化できるキュービクル基台を提供する。【解決手段】  高圧ケーブルを下入線させるケーブル導入部１を、略四角形のコンクリート製ブロック体の側面に上下に渡る切り欠き形成して設け、その内側面の１つの奥壁１ａを傾斜形成して下方を拡開させた。また、ケーブル導入部１下部周囲に高圧ケーブルを配設可能な隙間２を設けると共に、上面の４隅に吊りボルトを装着するためのネジ孔３を穿設した。【選択図】  図１
2005137177.tif 000002
【特許請求の範囲】
【請求項１】
キュービクルを載置固定するためのコンクリート製基台であって、高圧ケーブルを下入線するためのケーブル導入部が側部に切り欠き形成され、底面の少なくとも前記ケーブル導入部の周囲には高圧ケーブルを配設可能な隙間が形成されて成ることを特徴とするキュービクル基台。
【請求項２】
ケーブル導入部は、下方が拡開されて成る請求項１記載のキュービクル基台。
【請求項３】
上面の少なくとも４隅に吊りボルトを装着可能なネジ孔を穿設して成る請求項１又は２記載のキュービクル基台。
【請求項４】
底面に吊りベルトを案内するベルト案内溝を有する請求項１乃至３の何れかに記載のキュービクル基台。
【発明の詳細な説明】
【技術分野】
【０００１】
本発明は、受電設備を収容するキュービクルを設置する際に地面に配置してキュービクルを載置固定するためのキュービクル基台に関する。
【背景技術】
【０００２】
従来、受電設備を収容する箱、所謂キュービクルを設置する場合、設置する地面にキュービクルを載置し固定するための基台が配置される。この基台はキュービクルの底面形状に合わせた型枠を作製し、そこにコンクリートを流し込んでブロック状に形成し、その基台上にボルト止め等してキュービクルを設置固定していた。
一方、受電設備は、工場や工事現場等において、全ての電気設備に電力を供給するための基幹を成す設備であるため、スピーディーな設置が要求されている。ところが、上述するようにキュービクルを設置するための基台はキュービクル設置現場で作製されるし、コンクリートを流し込むため、工期に時間が掛かりキュービクル設置の工期短縮の障害となっていた。そのため基台作製の工期短縮が望まれていた。
そのようなことから、例えば特許文献１に開示されているように、キュービクル基台として既製のコンクリート製基礎主体を使用し、予め工場等で基台を作製しておき、キュービクルを設置する際にクレーンを用いて運搬し設置することで、キュービクル施工期間を短縮する工法が提案されている。
【０００３】
【特許文献１】特開平８−１３５１３号公報
【発明の開示】
【発明が解決しようとする課題】
【０００４】
上記特許文献１に示す工法の場合、基台を予め作製しておくことで、大幅な工期の短縮が可能となる。ところが、ここで使用される基台は基本的に枠体であるため大きな開口部を有している。そのため、強度を維持するために高さを大きくする必要があり、そのために設置面を深く根切り作業をしなければならないし、基台設置後、内部に土砂を入れて突き固めたり、モルタル層を形成する作業等が必要であった。但し、キュービクル内への高圧ケーブルの引き込みは下入線が一般的であるため、基台にはそのためのケーブル導入部が必要である。
【０００５】
そこで、開口部を無くして単なるブロック形状とすれば、基台設置に際して上述するような作業を簡略化でき、更に工期を短縮できる。比較的小型のキュービクルの場合、基台の開口部を無くしてブロック形状としても運搬可能な重量に抑えることが可能なため、このような基台が有効に利用できると考えられるが、その場合次のような問題があった。
地面に形成された高圧ケーブルをキュービクルへ引き込むためのケーブル立ち上げ孔の位置は、所定位置に精度良く施工するのが難しくまちまちであるため、基台のケーブル導入部と地面の双方の孔の位置が合わない場合は、地面のケーブル立ち上げ孔の位置を変更する必要が生ずる。ところが、高圧ケーブルは地中埋設やスラブ立ち上げで施工されているため、立ち上げ位置の変更が難しい。
このようなことから、基台にケーブル導入部のみ形成してブロック状に形成した場合、基台設置前の作業は簡単になるが、ケーブルを下入線する作業が逆に面倒になり、このような基台を予め作製しておく方法を採用するのは難しかった。
【０００６】
そこで、本発明は上記問題点に鑑み、ケーブル導入部のみ設けてブロック状に形成した基台であっても、地面から立ち上げたケーブルの立ち上げ位置に自由度を持たせ、設置作業を簡易化できるキュービクル基台を提供し、キュービクル設置工事の工期短縮を図ることを目的とする。
【課題を解決するための手段】
【０００７】
上記課題を解決するため、請求項１に記載の発明は、キュービクルを載置固定するためのコンクリート製基台であって、高圧ケーブルを下入線するためのケーブル導入部が側部に切り欠き形成され、底面の少なくとも前記ケーブル導入部の周囲には高圧ケーブルを配設可能な隙間が形成されて成ることを特徴とする。
この構成により、高圧ケーブルの地面からの立ち上げ位置がケーブル導入部からずれていても、ケーブル導入部の下部に設けた隙間内に立ち上げ部位があれば、高圧ケーブルをケーブル導入部を介してキュービクルに入線でき、ケーブル立ち上げ位置を変更することなく下入線を実施できる。従って、基台を予め作製しておいても無理なく設置でき、キュービクル設置工事の工期短縮を図ることができる。
【０００８】
請求項２は、請求項１に記載の発明において、ケーブル導入部は、下方が拡開されて成ることを特徴とする。
この構成により、ケーブル導入部の下方は広いので、引き込む高圧ケーブルの曲げ曲率を大きくでき、高圧ケーブルに大きなストレスを加えること無くキュービクルに引き込むことができる。
【０００９】
請求項３の発明は、請求項１又は２記載の発明において、上面の少なくとも４隅に吊りボルトを装着可能なネジ孔を穿設して成ることを特徴とする。
この構成により、吊りボルトを容易に取り付けでき、クレーンでの吊り上げ操作を無理なく実施できる。また、吊りボルトを外した状態では、上面は平坦にできるので、積み重ねても基台が破損することがない。
【００１０】
請求項４の発明は、請求項１乃至３の何れかに記載の発明において、底面に吊りベルトを案内するベルト案内溝を有することを特徴とする。
この構成により、掛けたベルトはずれることが無く、ベルトによる吊り上げが容易である。
【発明の効果】
【００１１】
このように、高圧ケーブルの地面からの立ち上げ位置がケーブル導入部からずれていても、ケーブル導入部の下部に設けた隙間内に立ち上げ部位があれば、ケーブル立ち上げ位置を変更することなく高圧ケーブルをケーブル導入部を介してキュービクルに入線できる。従って、キュービクル基台を予め作製しておいても無理なく設置でき、キュービクル設置工事の工期短縮を図ることができる。また、開口部を設けることなくブロック状にできるので、堅牢に作製できる。
【発明を実施するための最良の形態】
【００１２】
以下、本発明を具体化した実施の形態を、図面に基づいて詳細に説明する。図１，図２は本発明に係るキュービクル基台（以下、単に基台とする）の一例を示し、図１は斜視図、図２は平面説明図であり、１は高圧ケーブルをキュービクル内に引き込むためのケーブル導入部、２は底部に凹設した隙間、３は吊りボルト等を装着可能なネジ孔、４はベルトを案内し保持するベルト案内溝、５は内部に配設されている鉄筋であり、全体はコンクリートで形成され、載置するキュービクルの底面形状に合わせてブロック状に形成されている。
ケーブル導入部１は、基台の一側面（前面）の略中央に上下に渡り矩形の切り欠きを設けて形成され、その内面のうち奥壁１ａは傾斜形成され、ケーブル導入部１の下方が基台中央に向けて拡開されている。またケーブル導入部１の上端部は、載置したキュービクル内に高圧ケーブルを導入するに必要且つ十分な大きさで形成され、通常３本のケーブルがケーブル導入部１から入線される。
【００１３】
隙間２は、ケーブル導入部１を中心に形成され、高圧ケーブルを配設可能な高さを有して形成されている。また、ネジ孔３は、上面の４隅に設けられ、図３の基台の部分拡大図に示すように、インサートと称される金属製雌ねじ筒６が埋め込まれ、吊りボルト７を容易に装着可能となっている。また、このネジ孔３は、載置するキュービクルのアンカーボルト取り付け位置に合わせて設ければ、アンカーボルトの施工も短時間で実施できる。
更に、ベルト案内溝４は、底面に帯状に凹設形成され、十字状に前後方向及び左右方向に形成されている。但し、ケーブル導入部１を設けた前面側はケーブル導入溝１を兼用させている。
【００１４】
こうして形成された基台は、次のような手順で設置できる。まず、キュービクル設置場所を所定量（例えば、１０ｃｍ）掘り下げて整地、転圧し基台設置面を形成する。次に、基台を設置面に密着させるために、例えばインスタントセメントを一様に敷設する。その後、基台をクレーン等で吊り上げて、地面に設けられているケーブル立ち上げ位置を確認しながら所定位置に下ろす。図４は、この基台を下ろした状態の図であり、高圧ケーブルが下入線された状態の縦断面説明図である。図において、８は基台、９は高圧ケーブル、１０はインスタントセメント、１１は地面に形成した基台設置面である。
基台８を下ろした後は、掘り下げた周囲の土を戻すなりアスファルトで固める等すれば良く、インスタントセメント１０の作用により、基台８は地面に密着し固定される。
【００１５】
このように、ケーブル導入部の下方は拡開されているので、導入する高圧ケーブルの曲げ曲率を大きくしてキュービクルに引き込むことができ、高圧ケーブルに大きなストレスが加わることがない。
また、高圧ケーブルの地面からの立ち上げ位置がケーブル導入部からずれていても、ケーブル導入部の下部に設けた隙間内に立ち上げ部位があれば、高圧ケーブルをケーブル導入部を介してキュービクルに入線でき、ケーブル立ち上げ位置を変更することなく下入線を実施できる。従って、基台を予め作製しておいても無理なく設置でき、キュービクル設置工事の工期短縮を図ることができる。
更に、吊りボルトを容易に取り付けできるので、クレーンで容易に吊り上げできるし、吊りボルトを外した状態では、上面は平坦にできるので、積み重ねても基台が破損することがない。
また、ベルト案内溝を有するので、ベルトを掛けてもずれることが無く、ベルトによる吊り上げも無理なく実施できるし、ケーブル導入部の上部は高圧ケーブルをキュービクルに挿通するのに必要な最小限の切り欠きで済むので、ケーブル導入後に隙間をモルタル等で埋める作業が必要ない。
また、内部に開口部等設ける必要がないので、ブロック状に堅牢に形成できるし、内部に鉄筋を配するので高さを抑えて軽量化でき、地面を僅かに掘り下げるだけで安定した設置ができる。
【００１６】
尚、上記実施形態では、隙間はケーブル導入部の周囲に設けられているだけであるが、前後に貫通するよう広く設けても良く、高圧ケーブルの立ち上げ位置に、より大きい自由度を与えることができる。
また、ケーブル導入部は１ヶ所設けているだけであるが、低圧ケーブル導入部を同様に設けても良い。
【図面の簡単な説明】
【００１７】
【図１】本発明の実施形態の一例を示すキュービクル基台の斜視図である。
【図２】図１の平面説明図である。
【図３】図１の部分拡大図である。
【図４】基台を設置してケーブルを下入線した様子を示す断面説明図である。
【符号の説明】
【００１８】
１・・ケーブル導入部、２・・隙間、３・・ネジ孔、４・・ベルト案内溝、６・・吊りボルト、９・・高圧ケーブル。
【図１】
2005137177.tif 000003
【図２】
2005137177.tif 000004
【図３】
2005137177.tif 000005
【図４】
2005137177.tif 000006